(57)【要約】【課題】低コストで、複数の表示装置のそれぞれに、最適な画像を表示させる。【解決手段】マイコン４６１は、ＥＶＦ４１７だけに画像を表示する場合、ＥＶＦ４１７の表示特性を考慮した表示制御用データ４９１をＡＧＣ回路５１１、ＡＰＣ回路５１２、カラーゲイン制御部５１３、およびγ補正回路５１６に供給すると共に、ＲＧＢドライバ５３１に、ＥＶＦ４１７だけに画像信号を供給させ、タイミングジェネレータ５３２に、バックライト５５４だけを点灯させる。ディスプレイ４１８だけに画像を表示する場合、マイコン４６１は、ディスプレイ４１８の表示特性を考慮した表示制御用データ４９１をＬＣＤ信号処理部４４６の各部に供給し、ＬＣＤ駆動回路４４７に、ディスプレイ４１８だけを駆動するように指令する。本発明は、デジタルスチルカメラやカメラ一体型ビデオテープレコーダなどの撮像装置に適用することができる。【選択図】      図６
2004229005.tif 000002
【特許請求の範囲】
【請求項１】
同一画素数の複数の表示手段を備える表示装置において、
前記複数の表示手段のうち、画像を表示させる前記表示手段を選択する選択手段と、
前記選択手段により選択された前記表示手段用の補正用データに基づいて、前記画像を補正する補正手段と、
前記選択手段により選択された前記表示手段を駆動し、前記補正手段により補正された前記画像を、前記選択手段により選択された前記表示手段に表示させる駆動手段と
を備えることを特徴とする表示装置。
【請求項２】
前記複数の表示手段は、第１の表示手段と第２の表示手段とにより構成され、
前記選択手段は、前記第１の表示手段と前記第２の表示手段の一方、または前記第１の表示手段および前記第２の表示手段の両方を、前記画像を表示させる前記表示手段として選択し、
前記第１の表示手段に前記画像を表示させる場合、前記第２の表示手段に前記画像を表示させる場合、並びに前記第１の表示手段および前記第２の表示手段の両方に前記画像を表示させる場合、それぞれで、前記補正手段は、異なる前記補正用データに基づいて、前記画像を補正する
ことを特徴とする請求項１に記載の表示装置。
【請求項３】
前記第１の表示手段は、モノクロで前記画像を表示し、
前記第２の表示手段は、カラーで前記画像を表示する
ことを特徴とする請求項２に記載の表示装置。
【請求項４】
前記選択手段により前記第１の表示手段だけが前記画像を表示する前記表示手段として選択された場合、前記補正手段は、前記画像をＹＣｒＣｂ信号として出力し、
前記選択手段により前記第２の表示手段だけが前記画像を表示する前記表示手段として選択された場合、および前記選択手段により前記第１の表示手段と第２の表示手段の両方が、前記画像を表示する前記表示手段として選択された場合、前記補正手段は、前記画像をＲＧＢ信号として出力する
ことを特徴とする請求項３に記載の表示装置。
【請求項５】
被写体を撮像する撮像手段をさらに備え、
前記補正手段は、前記撮像手段により撮像された前記被写体の前記画像を補正する
ことを特徴とする請求項１に記載の表示装置。
【請求項６】
同一画素数の複数の表示手段を備える表示装置の表示方法において、
前記複数の表示手段のうち、画像を表示させる前記表示手段を選択する選択ステップと、
前記選択ステップの処理により選択された前記表示手段用の補正用データに基づいて、前記画像を補正する補正ステップと、
前記選択ステップの処理により選択された前記表示手段を駆動し、前記補正ステップの処理により補正された前記画像を、前記選択ステップの処理により選択された前記表示手段に表示させる駆動ステップと
を含むことを特徴とする表示方法。
【発明の詳細な説明】
【０００１】
【発明の属する技術分野】
本発明は、表示装置および方法に関し、特に、低コストで、複数の表示手段のそれぞれに好適な画像を表示させることができるようにした表示装置および方法に関する。
【０００２】
【従来の技術】
近年、電子ビューファインダと直視型カラーモニタの２種類の液晶表示装置を備えたカメラ一体型ビデオテープレコーダやデジタルスチルカメラが存在する。図１は、このような電子ビューファインダと直視型カラーモニタの２種類の液晶表示装置を備えた撮像装置における表示制御を行う部分の例を表している。
【０００３】
図１において、ＬＣＤ信号処理部１１は、入力された輝度信号と色差信号を、電子ビューファインダ（ＥＶＦ）１５の表示特性を考慮して補正し、ＬＣＤ（Ｌｉｑｕｉｄ  Ｃｒｙｓｔａｌ  Ｄｉｓｐｌａｙ）駆動回路１３に供給する。ＬＣＤ駆動回路１３は、ＥＶＦ１５を駆動し、ＬＣＤ信号処理部１１から供給された画像信号を、ＥＶＦ１５に表示させる。ＥＶＦ１５は、ＬＣＤ駆動回路１３により駆動され、供給された画像信号を表示する。ＬＣＤ信号処理部１２は、入力された輝度信号と色差信号を、ディスプレイ１６の表示特性を考慮して補正し、ＬＣＤ駆動回路１４に供給する。ＬＣＤ駆動回路１４はディスプレイ１６を駆動し、ＬＣＤ信号処理部１２から供給された画像信号を、ディスプレイ１６に表示させる。直視型カラーモニタとしてのディスプレイ１６は、ＬＣＤ駆動回路１４により駆動され、供給された画像信号を表示する。
【０００４】
ＥＶＦ１５やディスプレイ１６などの表示装置は、それぞれ固有の表示特性を有しており、同一の画像信号をそのまま表示した場合、元の画像データに忠実な画像を表示できないことがある。従って、表示する画像は、表示装置の表示特性を考慮して補正する必要がある。ＬＣＤ信号処理部１１が、ＥＶＦ１５の表示特性を考慮して画像を補正し、ＬＣＤ信号処理部１２が、ディスプレイ１６の表示特性を考慮して画像を補正することにより、ユーザは、画像データに忠実に表示した画像を見ることができる。なお、図１の例においては、ＥＶＦ１５は、モノクロ表示であり、ディスプレイ１６はカラー表示であるとする。
【０００５】
ＬＣＤ信号処理部１１は、ＡＧＣ（Ａｕｔｏｍａｔｉｃ  Ｇａｉｎ  Ｃｏｎｔｒｏｌ）回路３１、ＡＰＣ（Ａｕｔｏｍａｔｉｃ  Ｐｈａｓｅ  Ｃｏｎｔｒｏｌ）回路３２、カラーゲイン制御部３３、γ補正回路３４、およびＤ／Ａ（Ｄｉｇｉｔａｌ  ｔｏ  Ａｎａｌｏｇ）変換部３５を含んでいる。
【０００６】
ＡＧＣ回路３１は、輝度信号（Ｙ信号）が供給された場合、供給された輝度信号（Ｙ信号）の振幅を、所定の振幅に変換してゲインを調節し、調節後の輝度信号（Ｙ信号）をＡＰＣ回路３２に供給する。
【０００７】
ＡＰＣ回路３２は、ＡＧＣ回路３１から供給される、ゲイン調節後の輝度信号（Ｙ信号）の位相を所定の位相に変換して解像度を最適化し、解像度を最適化した後の輝度信号（Ｙ信号）をγ補正回路３４に供給する。
【０００８】
カラーゲイン制御部３３は、色差信号（Ｃｒ，Ｃｂ信号）が供給された場合、供給された色差信号（Ｃｒ，Ｃｂ信号）の振幅を、所定の振幅に変換してゲインを調節し、調節後の色差信号（Ｃｒ，Ｃｂ信号）をγ補正回路３４に供給する。
【０００９】
γ補正回路３４は、ＡＰＣ回路３２およびカラーゲイン制御部３３から、ＹＣｒＣｂ信号（輝度信号（Ｙ信号）および色差信号（Ｃｒ，Ｃｂ信号））が供給された場合、供給されたＹＣｒＣｂ信号をγ補正し、補正後のＹＣｒＣｂ信号をＤ／Ａ変換部３５に供給する。
【００１０】
Ｄ／Ａ変換部３５は、γ補正回路３４から供給されるＹＣｒＣｂ信号をＤ／Ａ変換し、ＬＣＤ駆動回路１３内のＲＧＢドライバ７１およびタイミングジェネレータ７２に供給する。
【００１１】
ＬＣＤ駆動回路１３は、ＲＧＢドライバ７１、およびタイミングジェネレータ７２を含んでいる。ＲＧＢドライバ７１は、Ｄ／Ａ変換部３５から供給された画像信号を、ＬＣＤ表示用の画像信号に変換し、タイミングジェネレータ７２により指定されたタイミングで、ソースドライバ１０１およびゲートドライバ１０２を制御して、線順次走査し、変換した画像信号に対応する画像を液晶パネル１０３に表示させる。
【００１２】
ＥＶＦ１５は、ソースドライバ１０１、ゲートドライバ１０２、液晶パネル１０３、およびバックライト１０４により構成される。ソースドライバ１０１は、ＲＧＢドライバ７１から画像信号が供給されると、これを対応する信号電圧に変換し、液晶パネル１０３内のソース線に供給する。ゲートドライバ１０２は、ＲＧＢドライバ７１の制御に従って、液晶パネル１０３内の複数のゲート線のうち１本のゲート線を、高電位にし、他のゲート線を低電位にする。ゲートドライバ１０２は、高電位にするゲート線を順次ずらしてゆく。液晶パネル１０３は、ソース線、ゲート線、および画素電極を含む基板、２枚の偏光フィルム、並びに液晶層を含んでおり、液晶パネル１０３の面上に画像が表示される。バックライト１０４は、液晶パネル１０３の背面に設けられた図示せぬ反射板を介して、背面から液晶パネル１０３に光を照射する。
【００１３】
ＬＣＤ信号処理部１２は、ＡＧＣ回路５１、ＡＰＣ回路５２、カラーゲイン制御部５３、ＲＧＢマトリックス５４、γ補正回路５５、およびＤ／Ａ変換部５６を含んでいる。
【００１４】
ＡＧＣ回路５１は、輝度信号（Ｙ信号）が供給された場合、供給された輝度信号（Ｙ信号）の振幅を、所定の振幅に変換してゲインを調節し、調節後の輝度信号（Ｙ信号）をＡＰＣ回路５２に供給する。
【００１５】
ＡＰＣ回路５２は、ＡＧＣ回路５１から供給される、ゲイン調節後の輝度信号（Ｙ信号）の位相を所定の位相に変換して解像度を最適化し、解像度を最適化した後の輝度信号（Ｙ信号）をＲＧＢマトリックス回路５４に供給する。
【００１６】
カラーゲイン制御部５３は、色差信号（Ｃｒ，Ｃｂ信号）が供給された場合、供給された色差信号（Ｃｒ，Ｃｂ信号）の振幅を、所定の振幅に変換してゲインを調節し、調節後の色差信号（Ｃｒ，Ｃｂ信号）をＲＧＢマトリックス回路５４に供給する。
【００１７】
ＲＧＢマトリックス回路５４は、ＡＰＣ回路５２およびカラーゲイン制御部５３から、ＹＣｒＣｂ信号（輝度信号（Ｙ信号）および色差信号（Ｃｒ，Ｃｂ信号））が供給された場合、供給されたＹＣｒＣｂ信号をＲＧＢ信号に変換して、γ補正回路５５に供給する。
【００１８】
γ補正回路５５は、ＲＧＢマトリックス回路５４から供給されたＲＧＢ信号をγ補正し、補正後のＲＧＢ信号をＤ／Ａ変換部５６に供給する。
【００１９】
Ｄ／Ａ変換部５６は、γ補正回路５５から供給されるＲＧＢ信号をＤ／Ａ変換し、ＬＣＤ駆動回路１４内のＲＧＢドライバ８１およびタイミングジェネレータ８２に供給する。
【００２０】
ＬＣＤ駆動回路１４は、ＲＧＢドライバ８１、およびタイミングジェネレータ８２を含んでいる。ＲＧＢドライバ８１は、Ｄ／Ａ変換部５６から供給された画像信号を、ＬＣＤ表示用の画像信号に変換し、タイミングジェネレータ８２により指定されたタイミングで、ソースドライバ１２１およびゲートドライバ１２２を制御して、線順次走査し、変換した画像信号に対応する画像を液晶パネル１２３に表示させる。
【００２１】
ディスプレイ１６は、ソースドライバ１２１、ゲートドライバ１２２、液晶パネル１２３、およびバックライト１２４により構成される。ソースドライバ１２１は、ＲＧＢドライバ８１から画像信号が供給されると、これを対応する信号電圧に変換し、液晶パネル１２３内のソース線に供給する。ゲートドライバ１２２は、ＲＧＢドライバ８１の制御に従って、液晶パネル１２３内の複数のゲート線のうち１本のゲート線を、高電位にし、他のゲート線を低電位にする。ゲートドライバ１２２は、高電位にするゲート線を順次ずらしてゆく。液晶パネル１２３は、ソース線、ゲート線、および画素電極を含む基板、２枚の偏光フィルム、液晶層、並びにカラーフィルムを含んでおり、液晶パネル１２３の面上に画像が表示される。バックライト１２４は、液晶パネル１２３の背面に設けられた図示せぬ反射板を介して、背面から液晶パネル１２３に光を照射する。
【００２２】
このように、図１においては、ＥＶＦ１５とディスプレイ１６を駆動する駆動システム（ＬＣＤ信号処理部およびＬＣＤ駆動回路）を、ＥＶＦ１５とディスプレイ１６のそれぞれに対応して設けている。
【００２３】
また、図２に示されるようなシステムもある。図２のシステムは、図１のＬＣＤ信号処理部１１、およびＬＣＤ駆動回路１３を削除し、ＬＣＤ駆動回路１４に、ＥＶＦ１５およびディスプレイ１６の両方を接続している。すなわち、図２においては、ＬＣＤ駆動回路１４が、ＥＶＦ１５への画像の表示、およびディスプレイ１６への画像の表示の両方を同時に実行する。ＲＧＢドライバ８１は、Ｄ／Ａ変換部５６から供給された画像信号を、ＬＣＤ表示用の画像信号に変換し、タイミングジェネレータ８２により指定されたタイミングで、ＥＶＦ１５のソースドライバ１０１およびゲートドライバ１０２、並びにディスプレイ１６のソースドライバ１２１およびゲートドライバ１２２を制御して、線順次走査し、変換した画像信号に対応する画像を液晶パネル１０３および液晶パネル１２３に表示させる。
【００２４】
また、例えば、ＥＶＦと直視型カラーモニタを備えるデジタルカメラにおいて、ＥＶＦと直視型カラーモニタの両方に同一の画像を表示させた場合、画像を同一の表示状態で表示できるように、画像を補正するようにしたものがある（例えば、特許文献１、および特許文献２参照）。
【００２５】
【特許文献１】
特開２００１−１６９１５２号公報（第９−１０ページ）
【特許文献２】
特開２００１−３０９２１１号公報（第７−１３ページ）
【００２６】
【発明が解決しようとする課題】
しかしながら、従来の図１のシステムでは、ＥＶＦ１５とディスプレイ１６のそれぞれに対して、画像補正用のＬＣＤ信号処理部１１およびＬＣＤ信号処理部１２、並びにＥＶＦ１５とディスプレイ１６の駆動用のＬＣＤ駆動回路１３およびＬＣＤ駆動回路１４を設ける必要があり、コストが高くなってしまうという課題があった。
【００２７】
また、従来の図２のシステムにおいては、ＬＣＤ信号処理部とＬＣＤ駆動回路を、ＥＶＦ１５とディスプレイ１６で共通にすることにより、コストを低く抑えることはできるが、１つのＬＣＤ信号処理部１２しか有していないため、もし、ＥＶＦ１５の表示特性に合わせて画像を補正した場合、ディスプレイ１６に最適な画像を表示させることができず、ディスプレイ１６の表示特性に合わせて画像を補正した場合、ＥＶＦ１５に最適な画像を表示させることができないという問題がある。
【００２８】
また、特許文献１および特許文献２に示さるシステムは、一般的に、ＥＶＦはＣＲＴ（ＣａｔｈｏｄｅＲａｙ  Ｔｕｂｅ）を想定し、直視型カラーモニタは、液晶ディスプレイを想定している。図３は、このシステムの例を表している。
【００２９】
図３において、信号処理部２７１は、入力されたＹＣｒＣｂ信号の画像を補正して、出力する。スイッチ２７２は、ＥＶＦ２７３に画像を表示させる場合、ａ側にスイッチングして、信号処理部２７１から出力された画像信号をＥＶＦ２７３のＥＶＦ駆動回路２９１に供給する。ＥＶＦ２７３は、ＥＶＦ駆動回路２９１およびＣＲＴ２９２から構成される。ＥＶＦ駆動回路２９１は、ＣＲＴ２９２を駆動し、ＣＲＴ２９２に画像を表示させる。ＣＲＴ２９２は、ＥＶＦ駆動回路２９１により駆動され、画像を表示する。
【００３０】
スイッチ２７４は、ディスプレイ２７５に画像を表示させる場合、ａ側にスイッチングして、信号処理部２７１から出力された画像信号をディスプレイ２７５のＬＣＤ駆動回路３１１に供給する。ディスプレイ２７５は、ＬＣＤ駆動回路３１１およびＬＣＤ３１２から構成される。ＬＣＤ駆動回路３１１は、ＬＣＤ３１２を駆動し、ＬＣＤ３１２に画像を表示させる。ＬＣＤ３１２は、ＬＣＤ駆動回路３１１により駆動され、画像を表示する。
【００３１】
図３のシステムにおいては、２つの表示手段駆動用の回路が備えられている。すなわち、ＣＲＴ２９２を駆動するためにＥＶＦ駆動回路２９１が備えられ、ＬＣＤ３１２を駆動するためにＬＣＤ駆動回路３１１が備えられている。従って、ＥＶＦを駆動する回路と直視型カラーモニタを駆動する回路を共通にすることができないという問題がある。そのため、高コストであるという問題がある。
【００３２】
本発明はこのような状況に鑑みてなされたものであり、低コストで、複数の表示手段のそれぞれに好適な画像を表示させることを目的とする。
【００３３】
【課題を解決するための手段】
本発明の表示装置は、複数の表示手段のうち、画像を表示させる表示手段を選択する選択手段と、選択手段により選択された表示手段用の補正用データに基づいて、画像を補正する補正手段と、選択手段により選択された表示手段を駆動し、補正手段により補正された画像を、選択手段により選択された表示手段に表示させる駆動手段とを備えることを特徴とする。
【００３４】
前記複数の表示手段は、第１の表示手段と第２の表示手段とにより構成され、前記選択手段には、第１の表示手段と第２の表示手段の一方、または第１の表示手段および第２の表示手段の両方を、前記画像を表示させる前記表示手段として選択するようにさせ、前記補正手段には、第１の表示手段に前記画像を表示させる場合、第２の表示手段に前記画像を表示させる場合、並びに第１の表示手段および第２の表示手段の両方に前記画像を表示させる場合、それぞれで、異なる前記補正用データに基づいて、前記画像を補正するようにさせることができる。
【００３５】
前記第１の表示手段には、モノクロで前記画像を表示するようにさせ、前記第２の表示手段には、カラーで前記画像を表示するようにさせることができる。
【００３６】
前記選択手段により前記第１の表示手段だけが前記画像を表示する前記表示手段として選択された場合、前記補正手段には、前記画像をＹＣｒＣｂ信号として出力するようにさせ、前記選択手段により前記第２の表示手段だけが前記画像を表示する前記表示手段として選択された場合、および前記選択手段により前記第１の表示手段と第２の表示手段の両方が、前記画像を表示する前記表示手段として選択された場合、前記補正手段には、前記画像をＲＧＢ信号として出力するようにさせることができる。
【００３７】
被写体を撮像する撮像手段をさらに設けるようにし、前記補正手段には、撮像手段により撮像された被写体の前記画像を補正するようにさせることができる。
【００３８】
本発明の表示方法は、複数の表示手段のうち、画像を表示させる表示手段を選択する選択ステップと、選択ステップの処理により選択された表示手段用の補正用データに基づいて、画像を補正する補正ステップと、選択ステップの処理により選択された表示手段を駆動し、補正ステップの処理により補正された画像を、選択ステップの処理により選択された表示手段に表示させる駆動ステップとを含むことを特徴とする。
【００３９】
本発明の表示装置および方法においては、複数の表示手段のうち、画像を表示させる表示手段が選択され、選択された表示手段用の補正用データに基づいて、画像が補正され、選択された表示手段が駆動され、補正された画像が、選択された表示手段に表示される。
【００４０】
本発明は、例えば、デジタルスチルカメラやカメラ一体型ビデオテープレコーダなどの撮像装置に適用することができる。
【００４１】
【発明の実施の形態】
図４は、本発明を適用したデジタルスチルカメラ（以下の説明において、ＤＳＣとも称する）４１０の一実施の形態の外観の構成例を示す斜視図である。
【００４２】
図４Ａに示されるように、デジタルスチルカメラ４１０の筐体４１１の正面および上部には、被写体画像を取り込むレンズ部４１２、ユーザが操作することにより主電源がオンされたり、オフされたりする電源スイッチ４１３、ユーザから、メモリカード４５０（図５参照）に記録する画像の取り込みの指示を受け付けるシャッタボタン４１４、ユーザに操作され、撮影条件の設定や、利用する機能の選択等の指示が入力される設定つまみ４１５、および被写体に補助光を照射するためのストロボ４１６等が設けられている。
【００４３】
また、図４Ｂに示されるように、筐体４１１の背面には、電子ビューファインダ（以下の説明において、ＥＶＦとも称する）４１７、直視型カラーモニタとしてのディスプレイ４１８、表示切替ボタン４１９、多機能コントロールボタン４２０、およびカバー４２１が備えられている。ＥＶＦ４１７は、レンズ部４１２から取り込まれている被写体画像（動画）をリアルタイムで表示する。ユーザは、ＥＶＦ４１７を眼に近づけて、覗き込むことにより、表示されている動画を確認することができる。ディスプレイ４１８は、レンズ部４１２から取り込まれている被写体画像（動画）をリアルタイムで表示したり、シャッタボタン４１４が押下された場合、メモリカード４５０に記録するために取り込まれた画像（静止画）を表示したり、メモリカード４５０に既に記録された画像（静止画）を表示したり、種々の機能を設定するための設定画面を表示したりする。ユーザは、ＥＶＦ４１７の場合と比較して、より遠くにＤＳＣ４１０を保持しても、ディスプレイ４１８に表示された画像を確認することができる。
【００４４】
ＥＶＦ４１７およびディスプレイ４１８はともに、同一画素数のＬＣＤ（Ｌｉｑｕｉｄ  Ｃｒｙｓｔａｌ  Ｄｉｓｐｌａｙ）により構成される。また、ＥＶＦ４１７は、モノクロの画像を表示し、ディスプレイ４１８はカラーの画像を表示する。ユーザは、ＥＶＦ４１７またはディスプレイ４１８にリアルタイムに表示される被写体画像を見ながら、撮影範囲を決めることができる。
【００４５】
表示切替ボタン４１９は、ＥＶＦ４１７およびディスプレイ４１８の表示を切り替えるときに操作される。
【００４６】
例えば、電源スイッチ４１３が押下され、電源が投入された当初、レンズ部４１２を介して、リアルタイムに取り込まれる被写体画像は、ＥＶＦ４１７にのみ表示される。この状態で、ユーザにより表示切替ボタン４１９が１回押下された場合、ＤＳＣ４１０は、ＥＶＦ４１７への被写体画像（動画）の表示を終了し、代わりにディスプレイ４１８への被写体画像（動画）の表示を開始する。この状態で、ユーザにより表示切替ボタン４１９が１回押下された場合、ＤＳＣ４１０は、ＥＶＦ４１７への被写体画像（動画）の表示を開始し、ディスプレイ４１８への被写体画像（動画）の表示を継続する。この状態で、ユーザにより表示切替ボタン４１９が１回押下された場合、ＤＳＣ４１０は、ＥＶＦ４１７への被写体画像（動画）の表示を継続し、ディスプレイ４１８への被写体画像（動画）の表示を終了する。
【００４７】
以下も同様に、表示切替ボタン４１９が操作される度に、ＥＶＦ４１７のみの動画表示、ディスプレイ４１８のみの動画表示、およびＥＶＦ４１７とディスプレイ４１８の両方への動画表示の３つの表示モードを順番に繰り返す。よって、ユーザは、所定の回数だけ、表示切替ボタン４１９を押下して、所望する表示モードに設定することができる。
【００４８】
なお、以下の説明において、ＥＶＦ４１７のみに被写体画像（動画）を表示する表示モードをＥＶＦモードと称し、ディスプレイ４１８のみに被写体画像（動画）を表示する表示モードをディスプレイモードと称し、ＥＶＦ４１７とディスプレイ４１８の両方に被写体画像（動画）を表示する表示モードを両表示モードと称する。
【００４９】
多機能コントロールボタン４２０は、取り込む画像の解像度の設定や、ホワイトバランスの設定などを含む各種の設定を入力するときに操作される。
【００５０】
カバー４２１は、開閉可能になっており、カバー４２１の下には、ＤＳＣ４１０を外部機器と接続するための種々の端子（ＵＳＢコネクタ４６８（図５参照）を含む）、および電源供給用のＤＣ電源用端子が備えられている他、メモリカード４５０や電池４６４（いずれも図５参照）の出し入れができるようになされている。
【００５１】
次に、図５は、図４のデジタルスチルカメラ４１０の内部の構成例を示すブロック図である。
【００５２】
図５において、マイコン４６１は、操作部４６５からの信号入力に基づいて各回路を統括制御する制御部であり、ＥＶＦ４１７およびディスプレイ４１８における表示の制御、ストロボ発光制御、オートフォーカス（ＡＦ）演算、および自動露出（ＡＥ）演算等を行う。また、マイコン４６１は、ＥＶＦ４１７およびディスプレイ４１８の表示特性に合わせて、ＥＶＦ４１７およびディスプレイ４１８に表示する画像を最適化（補正）するための表示制御用データ４９１を、内蔵メモリに記憶しており、表示モード（ＥＶＦモード、ディスプレイモード、および両表示モード）が切り替えられた場合、表示モードに対応する表示制御用データ４９１をＬＣＤ信号処理部４４６に供給する。
【００５３】
操作部４６５は、上述した電源スイッチ４１３、シャッタボタン４１４、設定つまみ４１５、表示切替ボタン４１９、および多機能コントロールボタン４２０により構成され、ユーザにより入力された操作に対応する操作信号をマイコン４６１に通知する。
【００５４】
電源スイッチ４１３が操作され、電源がオンにされると、マイコン４６１は、電源コントロール回路４６３にコマンドを送り、電池４６４又はＤＣ電源用端子（図示せず）に接続される外部電源からデジタルスチルカメラ４１０の各部に電源を供給し、各回路を動作可能にする。電池４６４は充電式の電池（二次電池）でもよいし、市販の乾電池（一次電池）であってもよい。
【００５５】
レンズ部４１２は、１枚又は複数枚のレンズで構成され、単焦点レンズでもよいし、ズームレンズ等の焦点距離可変のものでもよい。レンズ部４１２を通過した光は、絞り４４１によって光量が調節された後、ＣＣＤ（Ｃｈａｒｇｅ  Ｃｏｕｐｌｅｄ  Ｄｅｖｉｃｅ）４４２に入射する。ＣＣＤ４４２の受光面には、フォトセンサが平面的に配列されており、ＣＣＤ４４２の受光面に結像された被写体像は、各フォトセンサによって入射光量に応じた量の信号電荷に変換される。なお、ＣＣＤ４４２は、各フォトセンサの電荷蓄積時間（シャッタスピード）を制御可能な、いわゆる電子シャッタ機能を有している。
【００５６】
こうして蓄積された信号電荷は、撮像系コントロール回路４５１から与えられるパルスに基づいて信号電荷に応じた電圧信号（画像信号）として順次読み出される。
【００５７】
ＣＣＤ４４２から出力された画像信号は、アナログ信号処理部４４３に送られる。アナログ信号処理部４４３は、サンプリングホールド回路、色分離回路、ゲイン調整回路等を含み、このアナログ信号処理部４４３において、相関二重サンプリング（ＣＤＳ）処理並びにＲ，Ｇ，Ｂの各色信号に色分離処理され、各色信号の信号レベルの調整（プリホワイトバランス処理）が行われる。
【００５８】
アナログ信号処理部４４３から出力された信号は、Ａ／Ｄ（Ａｎａｌｏｇ  ｔｏ  Ｄｉｇｉｔａｌ）変換部４４４によりデジタル信号に変換された後、デジタル信号処理部４４５に供給される。デジタル信号処理部４４５は、輝度・色差信号生成回路、γ補正回路、シャープネス補正回路、コントラスト補正回路、ホワイトバランス補正回路等を含む画像処理手段であり、マイコン４６１からのコマンドに従って画像信号を処理する。
【００５９】
デジタル信号処理部４４５は、画像データを、輝度信号（Ｙ信号）および色差信号（Ｃｒ，Ｃｂ信号）に変換するとともに、γ補正等の所定の処理を施した後、処理済みの画像データを内蔵するメモリに格納する。メモリに記憶された画像データは、マイコン４６１の指令に従って読み出され、ＬＣＤ信号処理部４４６、またはエンコーダ／デコーダ４４８に供給される。
【００６０】
ＬＣＤ信号処理部４４６は、デジタル信号処理部４４５から供給された、輝度信号（Ｙ信号）および色差信号（Ｃｒ，Ｃｂ信号）からなる画像データを、ＥＶＦ４１７やディスプレイ４１８に表示するための画像信号に変換し、ＬＣＤ駆動回路４４７に供給する。また、ＬＣＤ信号処理部４４６は、マイコン４６１から、設定画面用の画像データが供給された場合、供給された画像データを、ＥＶＦ４１７やディスプレイ４１８に表示するための画像信号に変換し、ＬＣＤ駆動回路４４７に供給する。
【００６１】
ＬＣＤ駆動回路４４７は、ＥＶＦ４１７およびディスプレイ４１８を駆動し、ＬＣＤ信号処理部４４６から供給された画像信号（水平同期信号、垂直同期信号、水平クロック、および垂直クロック等を含む）に対応する画像をＥＶＦ４１７およびディスプレイ４１８に表示させる。なお、ＬＣＤ駆動回路４４７は、設定された表示モード（ＥＶＦモード、ディスプレイモード、または両表示モード）に従って、ＥＶＦ４１７のみに被写体画像を表示させるか、ディスプレイ４１８のみに被写体画像を表示させるか、またはＥＶＦ４１７とディスプレイ４１８の両方に被写体画像を表示させる。また、ＬＣＤ信号処理部４４６から設定画面の画像データが供給された場合、ＬＣＤ駆動回路４４７は、ディスプレイ４１８に、設定画面の画像を表示させる。
【００６２】
ＣＣＤ４４２から出力される画像信号によってデジタル信号処理部４４５内部のメモリの画像データが定期的に書き換えられ、その画像データから生成される画像信号が逐一ＥＶＦ４１７やディスプレイ４１８に供給されることにより、ＣＣＤ４４２から入力された被写体画像がリアルタイムにＥＶＦ４１７やディスプレイ４１８に表示される。ユーザは、ＥＶＦ４１７やディスプレイ４１８に映し出される画像（動画）によって撮影画角を確認することができる。
【００６３】
ユーザによりシャッタボタン４１４が押下されると撮影開始指示（レリーズＯＮ）信号が発せられる。マイコン４６１は、レリーズＯＮ信号を検知し、撮像系コントロール回路４５１にコマンドを送る。撮像系コントロール回路４５１は、ＡＦモータズームモータ４５２を介してフォーカス制御を行うとともに、絞り４４１やＣＣＤ４４２での電荷蓄積時間を制御することにより露出制御を行う。
【００６４】
記録用の画像データの取り込みを指示する操作がなされると、記録が開始される。マイコン４６１は、エンコーダ／デコーダ４４８にコマンドを送信する。これによりエンコーダ／デコーダ４４８は、デジタル信号処理部４４５内部のメモリ上の画像データを例えばＪＰＥＧ（Ｊｏｉｎｔ  Ｐｈｏｔｏｇｒａｐｈｉｃ  Ｅｘｐｅｒｔｓ  Ｇｒｏｕｐ）形式（その他の所定の形式であってもよい）に従って符号化し、符号化した画像データを、メモリＩ／Ｆ（インタフェース）４４９を介して、メモリカード４５０に記録する。
【００６５】
なお、記録用の画像データが取り込まれる場合と、それ以外の場合では、ＣＣＤ４４２の動作状態は異なる。すなわち、記録用の画像データが取り込まれない場合、ＣＣＤ４４２は、記録用の画像データが取り込まれるときよりも低解像度の画像を取得するモードになっている。従って、アナログ信号処理４４３乃至ＬＣＤ駆動回路４４７間で処理すべき画像データのデータ量を少なくすることができ、ＣＣＤ４４２により取り込まれている画像をＥＶＦ４１７やディスプレイ４１８に素早く表示させることが可能となる。
【００６６】
一方、記録用の静止画の画像データが取り込まれる場合、ＣＣＤ４４２は解像度を高めて静止画を取得するので、データ量は多いが高画質の画像データをメモリカード４５０に記録することができる。
【００６７】
設定つまみ４１５に所定の操作がなされ、メモリカード４５０に記録された画像の再生が設定されると、メモリＩ／Ｆ４４９により、メモリカード４５０から画像データが読み出される。エンコーダ／デコーダ４４８は、読み出された画像データを復号処理し、デジタル信号処理部４４５内部のメモリに記憶させる。この画像データは、デジタル信号処理部４４５内部のメモリから、ＬＣＤ信号処理部４４６により読み出され、所定の処理が施され、ＬＣＤ駆動回路４４７を介して、ディスプレイ４１８に表示される。ユーザは、これにより、メモリカード４５０に記録された画像を確認することができる。
【００６８】
マイコン４６１にはまた、ＵＳＢコントローラ４６７が接続されている。ＵＳＢコントローラ４６７は、図示せぬＵＳＢ（Ｕｎｉｖｅｒｓａｌ  Ｓｅｒｉａｌ  Ｂｕｓ）ケーブルが接続されるＵＳＢコネクタ４６８を制御する。
【００６９】
マイコン４６１には、さらにまた、必要に応じて、インタフェース（Ｉ／Ｆ）４６９を介して、ドライブ４７０が接続され、ドライブ４７０に装着された磁気ディスク４８１、光ディスク４８２、光磁気ディスク４８３、或いは半導体メモリ４８４などから読み出されたコンピュータプログラムが、フラッシュメモリ４６６にインストールされる。マイコン４６１には、フラッシュメモリ４６６が接続され、適宜、種々のプログラム等の書き込み、および読み出しが行なわれる。
【００７０】
発光制御部４６２は、ストロボ４１６の発光に必要な電源を充電し、マイコン４６１から入力されるコマンドに基づいて、ストロボ４１６の発光を制御する。ストロボ４１６は、発光制御部４６２から指示されたタイミングで、発光制御部４６２から供給された電源により発光する。
【００７１】
次に、図６は、図５のＬＣＤ信号処理部４４６、ＬＣＤ駆動回路４４７、ＥＶＦ４１７、ディスプレイ４１８、およびマイコン４６１の部分を、より詳細に説明する図である。
【００７２】
図６において、ＬＣＤ信号処理部４４６は、ＡＧＣ回路５１１、ＡＰＣ回路５１２、カラーゲイン制御部５１３、スイッチ５１４、ＲＧＢマトリックス回路５１５、γ補正回路５１６、およびＤ／Ａ変換部５１７を含んでいる。
【００７３】
ＡＧＣ回路５１１は、マイコン４６１から、ＡＧＣ回路用データ（後述する図７のＡＧＣ回路用データ６０１Ａ、ＡＧＣ回路用データ６０２Ａ、またはＡＧＣ回路用データ６０３Ａ）が供給されると、供給されたＡＧＣ回路用データを自らに設定する。このＡＧＣ回路用データは、表示制御用データ４９１に含まれている。
【００７４】
そして、ＡＧＣ回路５１１は、デジタル信号処理部４４５から供給される輝度信号（Ｙ信号）の振幅を、設定されたＡＧＣ回路用データに基づいて、所定の振幅に変換してゲインを調節し、調節後の輝度信号（Ｙ信号）をＡＰＣ回路５１２に供給する。
【００７５】
ＡＰＣ回路５１２は、マイコン４６１から、ＡＰＣ回路用データ（後述する図７のＡＰＣ回路用データ６０１Ｂ、ＡＰＣ回路用データ６０２Ｂ、またはＡＰＣ回路用データ６０３Ｂ）が供給されると、供給されたＡＰＣ回路用データを自らに設定する。このＡＰＣ回路用データは、表示制御用データ４９１に含まれている。
【００７６】
そして、ＡＰＣ回路５１２は、ＡＧＣ回路５１１から供給される、ゲイン調節後の輝度信号（Ｙ信号）の位相を、設定されたＡＰＣ回路用データに基づいて、所定の位相に変換して解像度を最適化し、解像度を最適化した後の輝度信号（Ｙ信号）をスイッチ５１４に供給する。
【００７７】
なお、ＡＰＣ回路５１２は、表示モードがＥＶＦモードの場合、ディスプレイモードおよび両表示モードの場合より、３倍、解像度を高く設定する。これにより、ＥＶＦモード時に、ＥＶＦ４１７に表示される画像の解像度を高く保つことができ、ユーザは、より高解像度な画像を確認することができる。
【００７８】
カラーゲイン制御部５１３は、マイコン４６１から、カラーゲイン制御部用データ（後述する図７のカラーゲイン制御部用データ６０１Ｃ、カラーゲイン制御部用データ６０２Ｃ、またはカラーゲイン制御部用データ６０３Ｃ）が供給されると、供給されたカラーゲイン制御部用データを自らに設定する。このカラーゲイン制御用データは、表示制御用データ４９１に含まれている。
【００７９】
そして、カラーゲイン制御部５１３は、デジタル信号処理部４４５から供給される色差信号（Ｃｒ，Ｃｂ信号）の振幅を、設定されたカラーゲイン制御部用データに基づいて、所定の振幅に変換してゲインを調節し、調節後の色差信号（Ｃｒ，Ｃｂ信号）をスイッチ５１４に供給する。
【００８０】
スイッチ５１４は、マイコン４６１からの指示に従って、図６中、ａまたはｂにスイッチングし、ＡＰＣ回路５１２から出力される輝度信号（Ｙ信号）およびカラーゲイン制御部５１３から出力される色差信号（Ｃｒ，Ｃｂ信号）を、ＲＧＢマトリックス回路５１５およびγ補正回路５１６のうち、いずれか一方に供給する。
【００８１】
ＲＧＢマトリックス回路５１５は、スイッチ５１４を介して供給されたＹＣｒＣｂ信号（輝度信号（Ｙ信号）および色差信号（Ｃｒ，Ｃｂ信号））をＲＧＢ信号に変換し、ＲＧＢ信号をγ補正回路５１６に供給する。
【００８２】
γ補正回路５１６は、マイコン４６１から、γ補正回路用データ（後述する図７のγ補正回路用データ６０１Ｄ、γ補正回路用データ６０２Ｄ、またはγ補正回路用データ６０３Ｄ）が供給されると、供給されたγ補正回路用データを自らに設定する。このγ補正回路用データは、表示制御用データ４９１に含まれている。
【００８３】
そして、γ補正回路５１６は、ＲＧＢマトリックス回路５１６からＲＧＢ信号が供給された場合、供給されたＲＧＢ信号を、設定されたγ補正回路用データに基づいて、γ補正し、補正後のＲＧＢ信号をＤ／Ａ変換部５１７に供給する。また、γ補正回路５１６は、ＡＰＣ回路５１２およびカラーゲイン制御部５１３から、ＹＣｒＣｂ信号（輝度信号（Ｙ信号）および色差信号（Ｃｒ，Ｃｂ信号））が供給された場合、供給されたＹＣｒＣｂ信号を、設定されたγ補正回路用データに基づいて、γ補正し、補正後のＹＣｒＣｂ信号をＤ／Ａ変換部５１７に供給する。
【００８４】
Ｄ／Ａ変換部５１７は、γ補正回路５１６から供給される画像データ（ＲＧＢ信号またはＹＣｒＣｂ信号）をＤ／Ａ変換し、ＬＣＤ駆動回路４４７内のＲＧＢドライバ５３１およびタイミングジェネレータ５３２に供給する。
【００８５】
ＬＣＤ駆動回路４４７は、ＲＧＢドライバ５３１、およびタイミングジェネレータ５３２を含んでいる。ＲＧＢドライバ５３１は、マイコン４６１から、画像信号の出力先を指定するコマンドを受け付ける。すなわち、ＲＧＢドライバ５３１は、ＥＶＦ４１７だけに画像信号を出力するか、ディスプレイ４１８だけに画像信号を出力するか、またはＥＶＦ４１７とディスプレイ４１８の両方に画像信号を出力するかのいずれかのコマンドを、マイコン４６１から受信する。
【００８６】
マイコン４６１から、ＥＶＦ４１７だけに画像信号を出力するように指示するコマンドを受信した場合（ＥＶＦモードの場合）、ＲＧＢドライバ５３１は、Ｄ／Ａ変換部５１７から供給された画像信号を、ＬＣＤ表示用の画像信号に変換し、タイミングジェネレータ５３２により指定されたタイミングで、ソースドライバ５５１およびゲートドライバ５５２を制御して、線順次走査し、変換した画像信号に対応する画像を液晶パネル５５３に表示させる。
【００８７】
マイコン４６１から、ディスプレイ４１８だけに画像信号を出力するように指示するコマンドを受信した場合（ディスプレイモードの場合）、ＲＧＢドライバ５３１は、Ｄ／Ａ変換部５１７から供給された画像信号を、ＬＣＤ表示用の画像信号に変換し、タイミングジェネレータ５３２により指定されたタイミングで、ソースドライバ５７１およびゲートドライバ５７２を制御して、線順次走査し、変換した画像信号に対応する画像を液晶パネル５７３に表示させる。
【００８８】
マイコン４６１から、ＥＶＦ４１７とディスプレイ４１８の両方に画像信号を出力するように指示するコマンドを受信した場合（両表示モードの場合）、ＲＧＢドライバ５３１は、Ｄ／Ａ変換部５１７から供給された画像信号を、ＬＣＤ表示用の画像信号に変換し、タイミングジェネレータ５３２により指定されたタイミングで、ソースドライバ５５１およびゲートドライバ５５２を制御して、線順次走査し、変換した画像信号に対応する画像を液晶パネル５５３に表示させると同時に、ソースドライバ５７１およびゲートドライバ５７２を制御して、線順次走査し、変換した画像信号に対応する画像を液晶パネル５７３に表示させる。
【００８９】
タイミングジェネレータ５３２は、Ｄ／Ａ変換部５１７から供給された画像信号に含まれている同期信号に基づいて、ＥＶＦ４１７およびディスプレイ４１８に、画像信号を送信するタイミングを、ＲＧＢドライバ５３１に通知する。また、タイミングジェネレータ５３２は、マイコン４６１から、画像信号の出力先を指定するコマンドを受け付ける。すなわち、タイミングジェネレータ５３２は、ＥＶＦ４１７だけに画像信号を出力するか、ディスプレイ４１８だけに画像信号を出力するか、またはＥＶＦ４１７とディスプレイ４１８の両方に画像信号を出力するかのいずれかのコマンドを、マイコン４６１から受信する。
【００９０】
マイコン４６１から、ＥＶＦ４１７だけに画像信号を出力するように指示するコマンドを受信した場合（ＥＶＦモードの場合）、タイミングジェネレータ５３２は、ＥＶＦ４１７のバックライト５５４のみを点灯させる。また、マイコン４６１から、ディスプレイ４１８だけに画像信号を出力するように指示するコマンドを受信した場合（ディスプレイモードの場合）、タイミングジェネレータ５３２は、ディスプレイ４１８のバックライト５７４のみを点灯させる。また、マイコン４６１から、ＥＶＦ４１７とディスプレイ４１８の両方に画像信号を出力するように指示するコマンドを受信した場合（両表示モードの場合）、タイミングジェネレータ５３２は、ＥＶＦ４１７のバックライト５５４、およびディスプレイ４１８のバックライト５７４の両方を点灯させる。
【００９１】
ＥＶＦ４１７は、ソースドライバ５５１、ゲートドライバ５５２、液晶パネル５５３、およびバックライト５５４により構成される。ソースドライバ５５１は、ＲＧＢドライバ５３１から画像信号が供給されると、これを対応する信号電圧に変換し、液晶パネル５５３内のソース線に供給する。ゲートドライバ５５２は、ＲＧＢドライバ５３１の制御に従って、液晶パネル５５３内の複数のゲート線のうち１本のゲート線を、高電位にし、他のゲート線を低電位にする。ゲートドライバ５５２は、高電位にするゲート線を順次ずらしてゆく。液晶パネル５５３は、ソース線、ゲート線、および画素電極を含む基板、２枚の偏光フィルム、並びに液晶層を含んでおり、液晶パネル５５３の面上に画像が表示される。なお、図６の例においては、ＥＶＦ４１７は、モノクロ表示とされるため、液晶パネル５５３は、カラーフィルタを含んでいないが、ＥＶＦ４１７をカラー表示にする場合、液晶パネル５５３は、ＲＧＢのカラーフィルタをさらに含む。バックライト５５４は、液晶パネル５５３の背面に設けられた図示せぬ反射板を介して、背面から液晶パネル５５３に光を照射する。
【００９２】
ディスプレイ４１８は、ソースドライバ５７１、ゲートドライバ５７２、液晶パネル５７３、およびバックライト５７４により構成される。ソースドライバ５７１は、ＲＧＢドライバ５３１から画像信号が供給されると、これを対応する信号電圧に変換し、液晶パネル５７３内のソース線に供給する。ゲートドライバ５７２は、ＲＧＢドライバ５３１の制御に従って、液晶パネル５７３内の複数のゲート線のうち１本のゲート線を、高電位にし、他のゲート線を低電位にする。ゲートドライバ５７２は、高電位にするゲート線を順次ずらしてゆく。液晶パネル５７３は、ソース線、ゲート線、および画素電極を含む基板、２枚の偏光フィルム、液晶層、並びにカラーフィルムを含んでおり、液晶パネル５７３の面上に画像が表示される。バックライト５７４は、液晶パネル５７３の背面に設けられた図示せぬ反射板を介して、背面から液晶パネル５７３に光を照射する。
【００９３】
ＥＶＦ４１７の液晶パネル５５３内の縦方向に並んだ画素電極の数と、ディスプレイ４１８の液晶パネル５７３内の縦方向に並んだ画素電極の数は、同一である。また、ＥＶＦ４１７の液晶パネル５５３内の横方向に並んだ画素電極の数と、ディスプレイ４１８の液晶パネル５７３内の横方向に並んだ画素電極の数も、同一である。すなわち、液晶パネル５５３、および液晶パネル５７３は、縦横比も、画素数も同一である。これにより、１つのＬＣＤ駆動回路４４７で、２つの表示装置（ＥＶＦ７とディスプレイ４１８）を駆動することが可能となる。
【００９４】
次に、図７は、表示制御用データ４９１の構成例を表している。図７において、表示制御用データ４９１は、ＥＶＦ用データ６０１、ディスプレイ用データ６０２、および両表示用データ６０３の３つのデータにより構成されている。ＥＶＦ用データ６０１は、ＥＶＦ表示モードの場合、すなわち、ＥＶＦ４１７だけに被写体画像を表示させる場合に利用されるデータである。ディスプレイ用データ６０２は、ディスプレイ表示モードの場合、すなわち、ディスプレイ４１８だけに被写体画像を表示させる場合に利用されるデータである。両表示用データは、ＥＶＦ４１７とディスプレイ４１８の両方に被写体画像を表示させる場合に利用されるデータである。
【００９５】
ＥＶＦ４１７やディスプレイ４１８などの表示装置は、それぞれ、固有の表示特性を有しており、同一の画像信号が供給されても、実際に表示される画像は、表示装置により異なるものとなってしまう。また、画像データが指定する色や明るさと、実際に表示装置に表示される画像の色や明るさが異なるものとなってしまうことがある。そこで、表示装置毎の特性を考慮して、画像データを補正することにより、表示装置毎に表示される画像の差異を減少させ、画像データが指定する色や明るさに忠実な画像を表示することが可能となる。
【００９６】
表示制御用データ４９１は、このためのデータである。すなわち、ＥＶＦ用データ６０１は、ＥＶＦ４１７だけに被写体画像を表示させる場合に、画像データに忠実な画像をＥＶＦ４１７に表示できるように画像データを補正するためのものである。ディスプレイ用データ６０２は、ディスプレイ４１８だけに被写体画像を表示させる場合に、画像データに忠実な画像をディスプレイ４１８に表示できるように画像データを補正するためのものである。両表示用データ６０３は、ＥＶＦ４１７とディスプレイ４１８の両方に被写体画像を表示させる場合に、ＥＶＦ４１７とディスプレイ４１８にそれぞれ表示される画像が、共に極力理想的なものになるように画像データを補正するためのものである。
【００９７】
すなわち、ＥＶＦ４１７に画像を表示する場合に最適になるように画像データを補正した場合、ディスプレイ４１８には、最適な画像を表示できなくなってしまい、反対にディスプレイ４１８に画像を表示する場合に最適になるように画像データを補正した場合、ＥＶＦ４１７には、最適な画像を表示できなくなってしまう。そこで、ＥＶＦ４１７とディスプレイ４１８の両方に画像を表示させる場合、ＥＶＦ４１７にとって最適ではなく、ディスプレイ４１８にとっても最適ではないが、ＥＶＦ４１７とディスプレイ４１８の両方に極力理想的な画像を表示させることができるように、画像データを補正する。両表示用データ６０３は、そのためのデータである。
【００９８】
ＥＶＦ用データ６０１、ディスプレイ用データ６０２、および両表示用データ６０３からなる表示制御用データ４９１は、ＤＳＣ４１０の製造時に、予めＥＶＦ４１７とディスプレイ４１８の表示特性が測定され、測定結果に基づいて作成され、マイコン４６１内部に埋め込まれる。
【００９９】
ＥＶＦ用データ６０１は、ＡＧＣ回路用データ６０１Ａ、ＡＰＣ回路用データ６０１Ｂ、カラーゲイン制御部用データ６０１Ｃ、およびγ補正回路用データ６０１Ｄにより構成される。
【０１００】
ＡＧＣ回路用データ６０１Ａは、ＥＶＦ４１７に被写体画像を表示させる場合に、輝度信号（Ｙ信号）のゲインが最適になるように調整するためのパラメータであり、ＥＶＦモードに設定された場合、マイコン４６１からＡＧＣ回路５１１に供給され、ＡＧＣ回路５１１が輝度信号（Ｙ信号）のゲインを調整する際に利用される。
【０１０１】
ＡＰＣ回路用データ６０１Ｂは、ＥＶＦ４１７に被写体画像を表示させる場合に、輝度信号（Ｙ信号）の解像度が最適になるように調整するためのパラメータであり、ＥＶＦモードに設定された場合、マイコン４６１からＡＰＣ回路５１２に供給され、ＡＰＣ回路５１２が輝度信号（Ｙ信号）の解像度を調整する際に利用される。
【０１０２】
カラーゲイン制御部用データ６０１Ｃは、ＥＶＦ４１７に被写体画像を表示させる場合に、色差信号（Ｃｒ，Ｃｂ信号）のゲインが最適になるように調整するためのパラメータであり、ＥＶＦモードに設定された場合、マイコン４６１からカラーゲイン制御部５１３に供給され、カラーゲイン制御部５１３が色差信号（Ｃｒ，Ｃｂ信号）のゲインを調整する際に利用される。
【０１０３】
γ補正回路用データ６０１Ｄは、ＥＶＦ４１７に被写体画像を表示させる場合に、表示される画像の明るさが最適になるように調整するためのパラメータであり、ＥＶＦモードに設定された場合、マイコン４６１からγ補正回路５１６に供給され、γ補正回路５１６がγ補正する際に利用される。
【０１０４】
ディスプレイ用データ６０２は、ＡＧＣ回路用データ６０２Ａ、ＡＰＣ回路用データ６０２Ｂ、カラーゲイン制御部用データ６０２Ｃ、およびγ補正回路用データ６０２Ｄにより構成される。
【０１０５】
ＡＧＣ回路用データ６０２Ａは、ディスプレイ４１８に被写体画像を表示させる場合に、輝度信号（Ｙ信号）のゲインが最適になるように調整するためのパラメータであり、ディスプレイモードに設定された場合、マイコン４６１からＡＧＣ回路５１１に供給され、ＡＧＣ回路５１１が輝度信号（Ｙ信号）のゲインを調整する際に利用される。
【０１０６】
ＡＰＣ回路用データ６０２Ｂは、ディスプレイ４１８に被写体画像を表示させる場合に、輝度信号（Ｙ信号）の解像度が最適になるように調整するためのパラメータであり、ディスプレイモードに設定された場合、マイコン４６１からＡＰＣ回路５１２に供給され、ＡＰＣ回路５１２が輝度信号（Ｙ信号）の解像度を調整する際に利用される。
【０１０７】
カラーゲイン制御部用データ６０２Ｃは、ディスプレイ４１８に被写体画像を表示させる場合に、色差信号（Ｃｒ，Ｃｂ信号）のゲインが最適になるように調整するためのパラメータであり、ディスプレイモードに設定された場合、マイコン４６１からカラーゲイン制御部５１３に供給され、カラーゲイン制御部５１３が色差信号（Ｃｒ，Ｃｂ信号）のゲインを調整する際に利用される。
【０１０８】
γ補正回路用データ６０２Ｄは、ディスプレイ４１８に被写体画像を表示させる場合に、表示される画像の明るさが最適になるように調整するためのパラメータであり、ディスプレイモードに設定された場合、マイコン４６１からγ補正回路５１６に供給され、γ補正回路５１６がγ補正する際に利用される。
【０１０９】
両表示用データ６０３は、ＡＧＣ回路用データ６０３Ａ、ＡＰＣ回路用データ６０３Ｂ、カラーゲイン制御部用データ６０３Ｃ、およびγ補正回路用データ６０３Ｄにより構成される。
【０１１０】
ＡＧＣ回路用データ６０３Ａは、ＥＶＦ４１７とディスプレイ４１８の両方に被写体画像を表示させる場合に、輝度信号（Ｙ信号）のゲインが最適になるように調整するためのパラメータであり、両表示モードに設定された場合、マイコン４６１からＡＧＣ回路５１１に供給され、ＡＧＣ回路５１１が輝度信号（Ｙ信号）のゲインを調整する際に利用される。
【０１１１】
ＡＰＣ回路用データ６０３Ｂは、ＥＶＦ４１７とディスプレイ４１８の両方に被写体画像を表示させる場合に、輝度信号（Ｙ信号）の解像度が最適になるように調整するためのパラメータであり、両表示モードに設定された場合、マイコン４６１からＡＰＣ回路５１２に供給され、ＡＰＣ回路５１２が輝度信号（Ｙ信号）の解像度を調整する際に利用される。
【０１１２】
カラーゲイン制御部用データ６０３Ｃは、ＥＶＦ４１７とディスプレイ４１８の両方に被写体画像を表示させる場合に、色差信号（Ｃｒ，Ｃｂ信号）のゲインが最適になるように調整するためのパラメータであり、両表示モードに設定された場合、マイコン４６１からカラーゲイン制御部５１３に供給され、カラーゲイン制御部５１３が色差信号（Ｃｒ，Ｃｂ信号）のゲインを調整する際に利用される。
【０１１３】
γ補正回路用データ６０３Ｄは、ＥＶＦ４１７とディスプレイ４１８の両方に被写体画像を表示させる場合に、表示される画像の明るさが最適になるように調整するためのパラメータであり、両表示モードに設定された場合、マイコン４６１からγ補正回路５１６に供給され、γ補正回路５１６がγ補正する際に利用される。
【０１１４】
次に、図８のフローチャートを参照して、ＤＳＣ４１０の表示切り替え処理について説明する。
【０１１５】
電源スイッチ４１３が押下されたとき、主電源がＯＮされ、マイコン４６１は、ステップＳ１０１の処理を実行する。マイコン４６１は、図８のステップＳ１０１において、ＥＶＦ設定処理を開始する。ステップＳ１０１のＥＶＦ設定処理について、図９のフローチャートを参照して説明する。
【０１１６】
図９のステップＳ１２１において、マイコン４６１は、ＥＶＦ４１７用のＡＧＣ回路用データ６０１Ａを読み出し、これをＡＧＣ回路５１１に供給する。ＡＧＣ回路５１１は、マイコン４６１から供給されたＡＧＣ回路用データ６０１Ａを自らに設定する。これ以降、ＡＧＣ回路５１１は、次にマイコン４６１からＡＧＣ回路用データが供給されるまでの間、ＡＧＣ回路用データ６０１Ａに基づいて、輝度信号（Ｙ信号）のゲインを調整する。
【０１１７】
ステップＳ１２２において、マイコン４６１は、ＥＶＦ４１７用のＡＰＣ回路用データ６０１Ｂを読み出し、これをＡＰＣ回路５１２に供給する。ＡＰＣ回路５１２は、マイコン４６１から供給されたＡＰＣ回路用データ６０１Ｂを自らに設定する。これ以降、ＡＰＣ回路５１２は、次にマイコン４６１からＡＰＣ回路用データが供給されるまでの間、ＡＰＣ回路用データ６０１Ｂに基づいて、輝度信号（Ｙ信号）の解像度を調整する。
【０１１８】
ステップＳ１２３において、マイコン４６１は、ＥＶＦ４１７用のカラーゲイン制御部用データ６０１Ｃを読み出し、これをカラーゲイン制御部５１３に供給する。カラーゲイン制御部５１３は、マイコン４６１から供給されたカラーゲイン制御部用データ６０１Ｃを自らに設定する。これ以降、カラーゲイン制御部５１３は、次にマイコン４６１からカラーゲイン制御部用データが供給されるまでの間、カラーゲイン制御部用データ６０１Ｃに基づいて、色差信号（Ｃｒ，Ｃｂ信号）を調整する。
【０１１９】
ステップＳ１２４において、マイコン４６１は、ＥＶＦ４１７用のγ補正回路用データ６０１Ｄを読み出し、これをγ補正回路５１６に供給する。γ補正回路５１６は、マイコン４６１から供給されたγ補正回路用データ６０１Ｄを自らに設定する。これ以降、γ補正回路５１６は、次にマイコン４６１からγ補正回路用データが供給されるまでの間、γ補正回路用データ６０１Ｄに基づいて、γ補正を実行する。
【０１２０】
ステップＳ１２５において、マイコン４６１は、ＬＣＤ信号処理部４４６内のスイッチ５１４をｂ側に設定する。これにより、ＡＰＣ回路５１２から出力される輝度信号（Ｙ信号）およびカラーゲイン制御部５１３から出力される色差信号（Ｃｒ，Ｃｂ信号）は、ＲＧＢマトリックス回路５１５を経由せず、γ補正回路５１６に入力されるようになる。
【０１２１】
ステップＳ１２６において、マイコン４６１は、ＬＣＤ駆動回路４４７内のＲＧＢドライバ５３１に、ＥＶＦ４１７に画像信号を供給するように指令する。ＲＧＢドライバ５３１は、マイコン４６１からの指令に従って、ＥＶＦ４１７のソースドライバ５５１およびゲートドライバ５５２のみを制御するように自らを設定する。これにより、ＥＶＦ４１７には画像が表示され、ディスプレイ４１８には画像が表示されないようになる。
【０１２２】
ステップＳ１２７において、マイコン４６１は、ＬＣＤ駆動回路４４７内のタイミングジェネレータ５３２に、ＥＶＦ４１７のバックライト５５４だけを点灯するように指令する。タイミングジェネレータ５３２は、マイコン４６１からの指令に従って、ＥＶＦ４１７のバックライト５５４のみを点灯させる（ディスプレイ４１８のバックライト５７４は点灯させない）。
【０１２３】
以上のようにして、ＥＶＦ設定処理が実行される。なお、以上の説明においては、説明の便宜上、ステップＳ１２１乃至ステップＳ１２７の順番で処理を実行しているが、実際には、ステップＳ１２１乃至ステップＳ１２７以外の任意の順番でも良く、複数のステップを同時並行に実行しても良い。
【０１２４】
図８に戻って、ステップＳ１０１のＥＶＦ設定処理の後、処理はステップＳ１０２に進む。ステップＳ１０２において、マイコン４６１は、表示切替ボタン４１９（操作部４６５）からの操作信号に基づいて、表示切替ボタン４１９が操作されたか否かを判定することにより、ディスプレイモードが指示されたか否かを判定し、表示切替ボタン４１９が操作されるまで、ステップＳ１０２の処理を繰り返して待機する。そして、表示切替ボタン４１９が操作された場合、マイコン４６１は、ディスプレイモードが指示されたと判定し、処理はステップＳ１０３に進む。
【０１２５】
ステップＳ１０３において、マイコン４６１は、ディスプレイ設定処理を実行する。ステップＳ１０３のディスプレイ設定処理について、図１０のフローチャートを参照して説明する。
【０１２６】
図１０のステップＳ１４１において、マイコン４６１は、ディスプレイ４１８用のＡＧＣ回路用データ６０２Ａを読み出し、これをＡＧＣ回路５１１に供給する。ＡＧＣ回路５１１は、マイコン４６１から供給されたＡＧＣ回路用データ６０２Ａを自らに設定する。これ以降、ＡＧＣ回路５１１は、次にマイコン４６１からＡＧＣ回路用データが供給されるまでの間、ＡＧＣ回路用データ６０２Ａに基づいて、輝度信号（Ｙ信号）のゲインを調整する。
【０１２７】
ステップＳ１４２において、マイコン４６１は、ディスプレイ４１８用のＡＰＣ回路用データ６０２Ｂを読み出し、これをＡＰＣ回路５１２に供給する。ＡＰＣ回路５１２は、マイコン４６１から供給されたＡＰＣ回路用データ６０２Ｂを自らに設定する。これ以降、ＡＰＣ回路５１２は、次にマイコン４６１からＡＰＣ回路用データが供給されるまでの間、ＡＰＣ回路用データ６０２Ｂに基づいて、輝度信号（Ｙ信号）の解像度を調整する。
【０１２８】
ステップＳ１４３において、マイコン４６１は、ディスプレイ４１８用のカラーゲイン制御部用データ６０２Ｃを読み出し、これをカラーゲイン制御部５１３に供給する。カラーゲイン制御部５１３は、マイコン４６１から供給されたカラーゲイン制御部用データ６０２Ｃを自らに設定する。これ以降、カラーゲイン制御部５１３は、次にマイコン４６１からカラーゲイン制御部用データが供給されるまでの間、カラーゲイン制御部用データ６０２Ｃに基づいて、色差信号（Ｃｒ，Ｃｂ信号）を調整する。
【０１２９】
ステップＳ１４４において、マイコン４６１は、ディスプレイ４１８用のγ補正回路用データ６０２Ｄを読み出し、これをγ補正回路５１６に供給する。γ補正回路５１６は、マイコン４６１から供給されたγ補正回路用データ６０２Ｄを自らに設定する。これ以降、γ補正回路５１６は、次にマイコン４６１からγ補正回路用データが供給されるまでの間、γ補正回路用データ６０２Ｄに基づいて、γ補正を実行する。
【０１３０】
ステップＳ１４５において、マイコン４６１は、ＬＣＤ信号処理部４４６内のスイッチ５１４をａ側に設定する。これにより、ＡＰＣ回路５１２から出力される輝度信号（Ｙ信号）およびカラーゲイン制御部５１３から出力される色差信号（Ｃｒ，Ｃｂ信号）は、ＲＧＢマトリックス回路５１５に入力されるようになる。
【０１３１】
ステップＳ１４６において、マイコン４６１は、ＬＣＤ駆動回路４４７内のＲＧＢドライバ５３１に、ディスプレイ４１８に画像信号を供給するように指令する。ＲＧＢドライバ５３１は、マイコン４６１からの指令に従って、ディスプレイ４１８のソースドライバ５７１およびゲートドライバ５７２のみを制御するように自らを設定する。これにより、ディスプレイ４１８には画像が表示され、ＥＶＦ４１７には画像が表示されないようになる。
【０１３２】
ステップＳ１４７において、マイコン４６１は、ＬＣＤ駆動回路４４７内のタイミングジェネレータ５３２に、ディスプレイ４１８のバックライト５７４だけを点灯するように指令する。タイミングジェネレータ５３２は、マイコン４６１からの指令に従って、ディスプレイ４１８のバックライト５７４のみを点灯させる（ＥＶＦ４１７のバックライト５５４は点灯させない）。
【０１３３】
以上のようにして、ディスプレイ設定処理が実行される。なお、以上の説明においては、説明の便宜上、ステップＳ１４１乃至ステップＳ１４７の順番で処理を実行しているが、実際には、ステップＳ１４１乃至ステップＳ１４７以外の任意の順番でも良く、複数のステップを同時並行に実行しても良い。
【０１３４】
図８に戻って、ステップＳ１０３のディスプレイ設定処理の後、処理はステップＳ１０４に進む。
【０１３５】
ステップＳ１０４において、マイコン４６１は、表示切替ボタン４１９（操作部４６５）からの操作信号に基づいて、表示切替ボタン４１９が操作されたか否かを判定することにより、両表示モードが指示されたか否かを判定し、表示切替ボタン４１９が操作されるまで、ステップＳ１０４の処理を繰り返して待機する。そして、表示切替ボタン４１９が操作された場合、マイコン４６１は、両表示モードが指示されたと判定し、処理はステップＳ１０５に進む。
【０１３６】
ステップＳ１０５において、マイコン４６１は、両表示設定処理を実行する。ステップＳ１０５の両表示設定処理について、図１１のフローチャートを参照して説明する。
【０１３７】
図１１のステップＳ１６１において、マイコン４６１は、両表示用のＡＧＣ回路用データ６０３Ａを読み出し、これをＡＧＣ回路５１１に供給する。ＡＧＣ回路５１１は、マイコン４６１から供給されたＡＧＣ回路用データ６０３Ａを自らに設定する。これ以降、ＡＧＣ回路５１１は、次にマイコン４６１からＡＧＣ回路用データが供給されるまでの間、ＡＧＣ回路用データ６０３Ａに基づいて、輝度信号（Ｙ信号）のゲインを調整する。
【０１３８】
ステップＳ１６２において、マイコン４６１は、両表示用のＡＰＣ回路用データ６０３Ｂを読み出し、これをＡＰＣ回路５１２に供給する。ＡＰＣ回路５１２は、マイコン４６１から供給されたＡＰＣ回路用データ６０３Ｂを自らに設定する。これ以降、ＡＰＣ回路５１２は、次にマイコン４６１からＡＰＣ回路用データが供給されるまでの間、ＡＰＣ回路用データ６０３Ｂに基づいて、輝度信号（Ｙ信号）の解像度を調整する。
【０１３９】
ステップＳ１６３において、マイコン４６１は、両表示用のカラーゲイン制御部用データ６０３Ｃを読み出し、これをカラーゲイン制御部５１３に供給する。カラーゲイン制御部５１３は、マイコン４６１から供給されたカラーゲイン制御部用データ６０３Ｃを自らに設定する。これ以降、カラーゲイン制御部５１３は、次にマイコン４６１からカラーゲイン制御部用データが供給されるまでの間、カラーゲイン制御部用データ６０３Ｃに基づいて、色差信号（Ｃｒ，Ｃｂ信号）を調整する。
【０１４０】
ステップＳ１６４において、マイコン４６１は、両表示用のγ補正回路用データ６０３Ｄを読み出し、これをγ補正回路５１６に供給する。γ補正回路５１６は、マイコン４６１から供給されたγ補正回路用データ６０３Ｄを自らに設定する。これ以降、γ補正回路５１６は、次にマイコン４６１からγ補正回路用データが供給されるまでの間、γ補正回路用データ６０３Ｄに基づいて、γ補正を実行する。
【０１４１】
ステップＳ１６５において、マイコン４６１は、ＬＣＤ信号処理部４４６内のスイッチ５１４をａ側に設定する。これにより、ＡＰＣ回路５１２から出力される輝度信号（Ｙ信号）およびカラーゲイン制御部５１３から出力される色差信号（Ｃｒ，Ｃｂ信号）は、ＲＧＢマトリックス回路５１５に入力されるようになる。
【０１４２】
ステップＳ１６６において、マイコン４６１は、ＬＣＤ駆動回路４４７内のＲＧＢドライバ５３１に、ＥＶＦ４１７とディスプレイ４１８の両方に画像信号を供給するように指令する。ＲＧＢドライバ５３１は、マイコン４６１からの指令に従って、ＥＶＦ４１７のソースドライバ５５１およびゲートドライバ５５２、並びにディスプレイ４１８のソースドライバ５７１およびゲートドライバ５７２を制御するように自らを設定する。これにより、ＥＶＦ４１７とディスプレイ４１８の両方に画像が表示されるようになる。
【０１４３】
ステップＳ１６７において、マイコン４６１は、ＬＣＤ駆動回路４４７内のタイミングジェネレータ５３２に、ＥＶＦ４１７のバックライト５５４、およびディスプレイ４１８のバックライト５７４を点灯するように指令する。タイミングジェネレータ５３２は、マイコン４６１からの指令に従って、ＥＶＦ４１７のバックライト５５４、およびディスプレイ４１８のバックライト５７４の両方を点灯させる。
【０１４４】
以上のようにして、両表示設定処理が実行される。なお、以上の説明においては、説明の便宜上、ステップＳ１６１乃至ステップＳ１６７の順番で処理を実行しているが、実際には、ステップＳ１６１乃至ステップＳ１６７以外の任意の順番でも良く、複数のステップを同時並行に実行しても良い。
【０１４５】
図８に戻って、ステップＳ１０５の両表示設定処理の後、処理はステップＳ１０６に進む。
【０１４６】
ステップＳ１０６において、マイコン４６１は、表示切替ボタン４１９（操作部４６５）からの操作信号に基づいて、表示切替ボタン４１９が操作されたか否かを判定することにより、ＥＶＦモードが指示されたか否かを判定し、表示切替ボタン４１９が操作されるまで、ステップＳ１０６の処理を繰り返して待機する。そして、表示切替ボタン４１９が操作された場合、マイコン４６１は、ＥＶＦモードが指示されたと判定し、処理はステップＳ１０１に戻り、上述したステップＳ１０１以降の処理がくり返し実行される。
【０１４７】
以上のようにして、ＤＳＣ４１０の表示切替処理が実行される。
【０１４８】
次に、ＥＶＦモード、ディスプレイモード、および両表示モードの各モードに設定された場合の、被写体画像の表示処理について、モード毎に説明する。
【０１４９】
まず、図１２のフローチャートを参照して、ＤＳＣ４１０のＥＶＦ表示処理、すなわちＥＶＦモード時の表示処理について説明する。
【０１５０】
ステップＳ２０１において、ＣＣＤ４４２は、受光面に結像された被写体像に対応する画像信号を生成し、これをアナログ信号処理部４４３に供給する。
【０１５１】
ステップＳ２０１の処理の後、ステップＳ２０２において、アナログ信号処理部４４３は、相関二重サンプリング（ＣＤＳ）処理並びにＲ，Ｇ，Ｂの各色信号に色分離処理を実行し、さらに各色信号の信号レベルの調整（プリホワイトバランス処理）を実行する。アナログ信号処理部４４３は、これらの処理をした後の処理済みの画像信号をＡ／Ｄ変換部４４４に供給する。
【０１５２】
ステップＳ２０２の処理の後、ステップＳ２０３において、Ａ／Ｄ変換部４４４は、アナログ信号処理部４４３から供給された画像信号をＡ／Ｄ変換して、デジタル信号処理部４４５に供給する。
【０１５３】
ステップＳ２０３の処理の後、ステップＳ２０４において、デジタル信号処理部４４５は、内蔵する輝度・色差信号生成回路により、入力されたＲＧＢ信号をＹＣｒＣｂ信号に変換し、γ補正回路によりγ補正を実行し、シャープネス補正回路によりシャープネスを補正し、コントラスト補正回路によりコントラストを補正し、ホワイトバランス補正回路によりホワイトバランスを補正し、補正後の画像信号を、内蔵するメモリに記憶させる。そして、デジタル信号処理部４４５は、所定のタイミングで、メモリに記憶された画像信号のうち、輝度信号（Ｙ信号）を、ＬＣＤ信号処理部４４６のＡＧＣ回路５１１に供給し、色差信号（Ｃｒ，Ｃｂ信号）を、ＬＣＤ信号処理部４４６のカラーゲイン制御部５１３に供給する。その後、処理はステップＳ２０５に進む。
【０１５４】
ステップＳ２０５において、ＡＧＣ回路５１１は、自らに設定したＡＧＣ回路用データに基づいて、デジタル信号処理部４４５から供給された輝度信号（Ｙ信号）のゲインを調整して、調整後の輝度信号（Ｙ信号）をＡＰＣ回路５１２に供給する。ステップＳ２０５の処理の後、処理はステップＳ２０６に進む。
【０１５５】
ステップＳ２０６において、ＡＰＣ回路５１２は、自らに設定したＡＰＣ回路用データに基づいて、ＡＧＣ回路５１１から供給された輝度信号（Ｙ信号）の位相を制御して、解像度を所定の値に設定し、設定後の輝度信号（Ｙ信号）を、スイッチ５１４に対して出力する。図９のステップＳ１２５の処理によりスイッチ５１４は、ｂ側に設定されているため、ＡＰＣ回路５１２から出力された輝度信号（Ｙ信号）は、スイッチ５１４からγ補正回路５１６に出力される。
【０１５６】
ステップＳ２０７において、カラーゲイン制御部５１３は、自らに設定したカラーゲイン制御部用データに基づいて、デジタル信号処理部４４５から供給された色差信号（Ｃｒ，Ｃｂ信号）のゲインを調整し、調整後の色差信号（Ｃｒ，Ｃｂ信号）を、スイッチ５１４に対して出力する。図９のステップＳ１２５の処理によりスイッチ５１４は、ｂ側に設定されているため、カラーゲイン制御部５１３から出力された色差信号（Ｃｒ，Ｃｂ信号）は、スイッチ５１４からγ補正回路５１６に出力される。
【０１５７】
ステップＳ２０８において、γ補正回路５１６は、自らに設定したγ補正回路用データに基づいて、ＡＰＣ回路５１２から供給された輝度信号（Ｙ信号）およびカラーゲイン制御部５１３から供給された色差信号（Ｃｒ，Ｃｂ信号）をγ補正し、補正後のＹＣｒＣｂ信号をＤ／Ａ変換部５１７に供給する。その後、処理はステップＳ２０９に進む。
【０１５８】
ステップＳ２０９において、Ｄ／Ａ変換部５１７は、γ補正回路５１６から供給されたＹＣｒＣｂ信号をＤ／Ａ変換し、変換後のＹＣｒＣｂ信号をＲＧＢドライバ５３１およびタイミングジェネレータ５３２に供給する。その後、処理はステップＳ２１０に進む。
【０１５９】
ステップＳ２１０において、ＲＧＢドライバ５３１は、Ｄ／Ａ変換部５１７から供給されたＹＣｒＣｂ信号を、ＬＣＤ表示用の画像信号に変換する。またタイミングジェネレータ５３２は、Ｄ／Ａ変換部５１７から供給されたＹＣｒＣｂ信号に含まれる同期信号に基づいて、ＲＧＢドライバ５３１に対して、ＥＶＦ４１７への画像信号の供給のタイミングを指示する。ＲＧＢドライバ５３１は、ゲートドライバ５５２に、所定のタイミングで順次、１本だけ高電位にするゲート線を変更させ、生成したＬＣＤ用の画像信号をソースドライバ５５１に供給する。ソースドライバ５５１は、供給された画像信号に対応する電圧信号をソース線に出力する。これにより、液晶パネル５５３には、ＣＣＤ４４２により取り込まれた被写体画像が表示される。また、図９のステップＳ１２７の処理により、ＥＶＦ４１７のバックライト５５４が点灯している。従って、液晶パネル５５３に表示された被写体画像が、ユーザに見える所定の明るさで表示される。
【０１６０】
以上のようにして、ＣＣＤ４４２から取り込まれた被写体画像がＥＶＦ４１７に表示される。なお、実際には、被写体画像は、例えば３０ｆｐｓで取り込まれる。従って、この場合、図１２のＥＶＦ表示処理は、１秒間に３０回実行される。
【０１６１】
また、以上の説明においては、説明の便宜上、ステップＳ２０５およびステップＳ２０６の処理、並びにステップＳ２０７の処理は、ステップＳ２０５、ステップＳ２０６、ステップＳ２０７の順番で実行されているが、実際には、ステップＳ２０５およびステップＳ２０６の処理は、ステップＳ２０５、ステップＳ２０６の順番で実行され、ステップＳ２０７の処理は、ステップＳ２０５およびステップＳ２０６の処理と同時並行に実行される。
【０１６２】
次に、図１３のフローチャートを参照して、ＤＳＣ４１０のディスプレイ表示処理、すなわち、ディスプレイモード時の表示処理について説明する。
【０１６３】
図１３のフローチャートのステップＳ２４１乃至ステップＳ２４７の処理は、図１２のステップＳ２０１乃至ステップＳ２０７の処理と同様であるため、説明を省略する。ただし、図１３のディスプレイ表示処理においては、図１０のステップＳ１４５で、スイッチ５１４がａ側に設定されているため、ステップＳ２４６でＡＰＣ回路５１２から出力された輝度信号（Ｙ信号）、およびステップＳ２４７でカラーゲイン制御部５１３から出力された色差信号（Ｃｒ，Ｃｂ信号）は、ＲＧＢマトリックス回路５１５に供給される。
【０１６４】
ステップＳ２４８において、ＲＧＢマトリックス回路５１５は、入力されたＹＣｒＣｂ信号（輝度信号（Ｙ信号）および色差信号（Ｃｒ，Ｃｂ信号））をＲＧＢ信号に変換し、変換後のＲＧＢ信号をγ補正回路５１６に供給する。その後、処理はステップＳ２４９に進む。
【０１６５】
ステップＳ２４９において、γ補正回路５１６は、自らに設定したγ補正回路用データに基づいて、ＲＧＢマトリックス回路５１５から供給されたＲＧＢ信号をγ補正し、補正後のＲＧＢ信号をＤ／Ａ変換部５１７に供給する。その後、処理はステップＳ２５０に進む。
【０１６６】
ステップＳ２５０において、Ｄ／Ａ変換部５１７は、γ補正回路５１６から供給されたＲＧＢ信号をＤ／Ａ変換し、変換後のＲＧＢ信号をＲＧＢドライバ５３１およびタイミングジェネレータ５３２に供給する。その後、処理はステップＳ２５１に進む。
【０１６７】
ステップＳ２５１において、ＲＧＢドライバ５３１は、Ｄ／Ａ変換部５１７から供給されたＲＧＢ信号を、ＬＣＤ表示用の画像信号に変換する。またタイミングジェネレータ５３２は、Ｄ／Ａ変換部５１７から供給されたＲＧＢ信号に含まれる同期信号に基づいて、ＲＧＢドライバ５３１に対して、ディスプレイ４１８への画像信号の供給のタイミングを指示する。ＲＧＢドライバ５３１は、ゲートドライバ５７２に、所定のタイミングで順次、１本だけ高電位にするゲート線を変更させ、生成したＬＣＤ用の画像信号をソースドライバ５７１に供給する。ソースドライバ５７１は、供給された画像信号に対応する電圧信号をソース線に出力する。これにより、液晶パネル５７３には、ＣＣＤ４４２により取り込まれた被写体画像が表示される。また、図１０のステップＳ１４７の処理により、ディスプレイ４１８のバックライト５７４が点灯している。従って、液晶パネル５７３に表示された被写体画像が、ユーザに見える所定の明るさで表示される。
【０１６８】
以上のようにして、ＣＣＤ４４２から取り込まれた被写体画像がディスプレイ４１８に表示される。なお、実際には、被写体画像は、例えば、３０ｆｐｓで取り込まれる。従って、この場合、図１３のディスプレイ表示処理は、１秒間に３０回実行される。
【０１６９】
次に、図１４のフローチャートを参照して、ＤＳＣ４１０の両表示処理、すなわち、両表示モード時の表示処理について説明する。
【０１７０】
図１４のフローチャートのステップＳ２８１乃至ステップＳ２９０の処理は、図１３のステップＳ２４１乃至ステップＳ２５０の処理と同様であるため、説明を省略する。
【０１７１】
ステップＳ２９１において、ＲＧＢドライバ５３１は、Ｄ／Ａ変換部５１７から供給されたＲＧＢ信号を、ＬＣＤ表示用の画像信号に変換する。またタイミングジェネレータ５３２は、Ｄ／Ａ変換部５１７から供給されたＲＧＢ信号に含まれる同期信号に基づいて、ＲＧＢドライバ５３１に対して、ＥＶＦ４１７およびディスプレイ４１８への画像信号の供給のタイミングを指示する。ＲＧＢドライバ５３１は、ゲートドライバ５５２およびゲートドライバ５７２に、所定のタイミングで順次、１本だけ高電位にするゲート線を変更させるとともに、生成したＬＣＤ用の画像信号をソースドライバ５５１およびソースドライバ５７１に供給する。ソースドライバ５５１およびソースドライバ５７１は、供給された画像信号に対応する電圧信号をソース線に出力する。これにより、液晶パネル５５３および液晶パネル５７３には、ＣＣＤ４４２により取り込まれた被写体画像が表示される。また、図１１のステップＳ１６７の処理により、ＥＶＦ４１７のバックライト５５４、およびディスプレイ４１８のバックライト５７４が点灯している。従って、液晶パネル５５３および液晶パネル５７３に表示された被写体画像が、ユーザに見える所定の明るさで表示される。
【０１７２】
以上のようにして、ＣＣＤ４４２から取り込まれた被写体画像がＥＶＦ４１７とディスプレイ４１８に同時に表示される。なお、実際には、被写体画像は、例えば、３０ｆｐｓで取り込まれる。従って、この場合、図１４の両表示処理は、１秒間に３０回実行される。
【０１７３】
なお、図１２のステップＳ２０６において、ＡＰＣ回路５１２が最適化した後の画像の解像度は、図１３のステップＳ２４６および図１４のステップＳ２８６において、ＡＰＣ回路５１２が最適化した後の解像度より、３倍、解像度が高い。その理由を、以下に説明する。
【０１７４】
ディスプレイモードおよび両表示モードの場合、ディスプレイ４１８に画像を表示させる。ディスプレイ４１８は、カラー表示であるため、１つの色を表現するために、赤（Ｒ）、緑（Ｇ）、青（Ｂ）のカラーフィルタに対応する３つの画素電極（ｎ，ｎ＋１，ｎ＋２）を必要とする。ディスプレイモードおよび両表示モードの場合、ＥＶＦ４１７に供給される画像信号もＲＧＢ信号なので、モノクロのＥＶＦ４１７に表示される画像も、３つの画素電極（ｎ，ｎ＋１，ｎ＋２）で１つの輝度を表現することになる。これに対して、ＥＶＦモードの場合、色を表現する必要がないため、１つの画素電極で１つの輝度を表現することができる。すなわち、画素電極（ｎ，ｎ＋１，ｎ＋２）のそれぞれで、画像データに合わせて輝度を設定することができる。その分、３倍だけ、解像度を上げることが可能となる。
【０１７５】
従って、ＡＰＣ回路５１２は、ＥＶＦモードの場合、ディスプレイモードや両表示モードの場合よりも３倍だけ高解像度になるように、輝度信号（Ｙ信号）を最適化する。ＡＰＣ回路用データ６０１Ｂ、ＡＰＣ回路用データ６０２Ｂ、およびＡＰＣ回路用データ６０３Ｂが、ＡＰＣ回路５１２に、このような動作を実行させる。これにより、ユーザは、より高解像度の被写体画像（動画）を確認して、撮影することができる。
【０１７６】
ところで、以上の説明においては、ＥＶＦ４１７がモノクロ表示の場合を例にして説明したが、本発明はＥＶＦ４１７がカラー表示の場合にも適用可能である。この場合も、ＤＳＣ４１０の基本的な構成は、図４および図５に示された通りである。ただし、ＥＶＦ４１７がカラー表示の場合、ＬＣＤ信号処理部４４６の内部構成、およびＥＶＦ４１７の液晶パネルが、図６とは異なるものとなる。
【０１７７】
図１５は、カラー表示のＥＶＦ４１７の場合の、ＬＣＤ信号処理部４４６、ＬＣＤ回路駆動部４４７、ＥＶＦ４１７、およびディスプレイ４１８の構成例である。図１５に示されるように、カラー表示のＥＶＦ４１７の場合、図６に示されていたスイッチ５１４が消去され、ＡＰＣ回路５１２から出力される輝度信号（Ｙ信号）およびカラーゲイン制御部５１３から出力される色差信号（Ｃｒ，Ｃｂ信号）は、ＲＧＢマトリックス回路５１５に入力される。
【０１７８】
また、図１５においては、液晶パネル７０１は、液晶パネル５５３とは異なり、ソース線、ゲート線、および画素電極を含む基板、２枚の偏光フィルム、液晶層、並びにカラーフィルムを含んでいる。カラーフィルムを含むようにすることにより、ＥＶＦ４１７はカラーの画像を表示することが可能となる。
【０１７９】
また、以上の説明においては、本発明をＤＳＣ４１０に適用した場合を例にして説明したが、本発明は、ＤＳＣ４１０以外の装置、例えば、カメラ一体型ビデオテープレコーダに適用することができる。図１６は、本発明を適用したカメラ一体型ビデオテープレコーダの構成例を表している。
【０１８０】
図１６において、レンズ部９０１、絞り９０２、ＣＣＤ９０３、アナログ信号処理部９０４、Ａ／Ｄ変換部９０５、デジタル信号処理部９０６、ＬＣＤ信号処理部９０７、ＬＣＤ駆動部９０８、ＥＶＦ９０９、ディスプレイ９１０、撮像系コントロール回路９１４、ＡＦモータズームモータ９１５、電源コントロール回路９２２、電池９２３、フラッシュメモリ９２５、ＵＳＢコントローラ９２６、ＵＳＢコネクタ９２７、インタフェース９２８、ドライブ９２９、磁気ディスク９４１、光ディスク９４２、光磁気ディスク９４３、半導体メモリ９４４、および表示制御用データ９５１はそれぞれ、図５のレンズ部４１２、絞り４４１、ＣＣＤ４４２、アナログ信号処理部４４３、Ａ／Ｄ変換部４４４、デジタル信号処理部４４５、ＬＣＤ信号処理部４４６、ＬＣＤ駆動部４４７、ＥＶＦ４１７、ディスプレイ４１８、撮像系コントロール回路４５１、ＡＦモータズームモータ４５２、電源コントロール回路４６３、電池４６４、フラッシュメモリ４６６、ＵＳＢコントローラ４６７、ＵＳＢコネクタ４６８、インタフェース４６９、ドライブ４７０、磁気ディスク４８１、光ディスク４８２、光磁気ディスク４８３、半導体メモリ４８４、および表示制御用データ４９１と同様の構成である。
【０１８１】
図１６において、マイコン９２１は、操作部９２４からの信号入力に基づいて各回路を統括制御する制御部であり、ＥＶＦ９０９およびディスプレイ９１０における表示の制御、オートフォーカス（ＡＦ）演算、および自動露出（ＡＥ）演算等を行う。また、マイコン９２１は、ＥＶＦ９０９およびディスプレイ９１０に表示する画像を最適化するための表示制御用データ９５１を記憶し、モード（ＥＶＦモード、ディスプレイモード、および両表示モード）が切り替えられた場合、モードに対応するデータをＬＣＤ信号処理部９０７およびＬＣＤ駆動回路９０８に供給する。
【０１８２】
操作部９２４は、ユーザにより入力された操作に対応する操作信号をマイコン９２１に通知する。ユーザにより操作部９２４が操作され、記録開始の指示が入力されると、記録開始信号が発せられる。マイコン９２１は、記録開始信号を検知し、撮像系コントロール回路９１４にコマンドを送る。撮像系コントロール回路９１４は、ＡＦモータズームモータ９１５を介してフォーカス制御を行うとともに、絞り９０２やＣＣＤ９０３での電荷蓄積時間を制御することにより露出制御を行う。また、マイコン９２１は、エンコーダ／デコーダ９１１にもコマンドを送る。エンコーダ／デコーダ９１１は、デジタル信号処理部９０６内部のメモリ上の画像データを、例えばＭＰＥＧ（Ｍｏｖｉｎｇ  Ｐｉｃｔｕｒｅ  Ｅｘｐｅｒｔｓ  Ｇｒｏｕｐ）形式（その他の所定の形式であってもよい）に従って符号化し、記録再生部９１２を介して、テープ９１３に記録する処理を開始する。また、ユーザにより操作部９２４が操作され、記録終了の指示が入力されると、マイコン９２１は、エンコーダ／デコーダ９１１にコマンドを送る。エンコーダ／デコーダ９１１は、画像データの符号化を終了する。
【０１８３】
また、操作部９２４に再生開始の指示が入力された場合、記録再生部９２１は、マイコン９２１からのコマンドに従って、テープ９１３から画像データを読み出し、エンコーダ／デコーダ９１１に供給する処理を開始する。エンコーダ／デコーダ９１１は、記録再生部９１２から供給された画像データを復号処理し、デジタル信号処理部９０６内部のメモリに記憶させる処理を開始する。この画像データは、デジタル信号処理部９０６内部のメモリから、ＬＣＤ信号処理部９０７により読み出され、所定の処理が施され、ＬＣＤ駆動回路９０８を介して、ディスプレイ９１０に表示される。ユーザは、これにより、テープ９１３に記録された画像（動画）を確認することができる。また、操作部９２４に再生終了の指示が入力された場合、記録再生部９２１は、マイコン９２１からのコマンドに従って、テープ９１３から画像データを読み出し、エンコーダ／デコーダ９１１に供給する処理を終了する。エンコーダ／デコーダ９１１は、記録再生部９１２から供給された画像データを復号処理し、デジタル信号処理部９０６内部のメモリに記憶させる処理を終了する。
【０１８４】
このカメラ一体型ビデオテープレコーダにおいても、ＤＳＣ４１０と同様にして、ＬＣＤ信号処理部９０７、ＬＣＤ駆動回路９０８、ＥＶＦ９０９、ディスプレイ９１０、およびマイコン９２１が動作し、ＥＶＦモード、ディスプレイモード、および両表示モードが実現される。
【０１８５】
なお、本発明は、上記したＤＳＣ４１０やカメラ一体型ビデオテープレコーダの他、ＥＶＦと直視型モニタを有するあらゆる装置に適用可能である。さらにまた、本発明は、同一画素数の液晶ディスプレイから構成される表示手段を、任意の個数備えた装置に適用させることも可能である。
【０１８６】
なお、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１８７】
また、本明細書において、システムとは、複数の装置により構成される装置全体を表すものである。
【０１８８】
【発明の効果】
以上のように、本発明によれば、複数の表示手段に、画像を表示することができる。
【０１８９】
また、本発明によれば、低コストで、複数の表示手段のそれぞれにより好適な画像を表示させることが可能となる。
【図面の簡単な説明】
【図１】従来のＥＶＦおよびディスプレイへの表示の制御を説明するための図である。
【図２】従来のＥＶＦおよびディスプレイへの表示の制御を説明するための他の図である。
【図３】従来のＥＶＦおよびディスプレイへの表示の制御を説明するためのさらに他の図である。
【図４】本発明を適用したデジタルスチルカメラの外観の構成例を示す斜視図である。
【図５】図４のデジタルスチルカメラの内部の構成例を示すブロック図である。
【図６】図５の一部分の詳細な構成例を示すブロック図である。
【図７】表示制御用データの例を示す図である。
【図８】デジタルスチルカメラの切り替え処理を説明するフローチャートである。
【図９】図８のステップＳ１０１を詳細に説明するフローチャートである。
【図１０】図８のステップＳ１０３を詳細に説明するフローチャートである。
【図１１】図８のステップＳ１０５を詳細に説明するフローチャートである。
【図１２】デジタルスチルカメラのＥＶＦ表示処理を説明するフローチャートである。
【図１３】デジタルスチルカメラのディスプレイ表示処理を説明するフローチャートである。
【図１４】デジタルスチルカメラの両表示処理を説明するフローチャートである。
【図１５】図５の一部分の詳細な構成例を示す他のブロック図である。
【図１６】図本発明を適用したカメラ一体型ビデオテープレコーダの構成例を示すブロック図である。
【符号の説明】
４１７  ＥＶＦ，  ４１８  ディスプレイ，  ４４６  ＬＣＤ信号処理部，  ４４７ＬＣＤ駆動回路，  ４６１  マイコン，  ４９１  表示制御用データ，  ５１１ＡＧＣ回路，  ５１２  ＡＰＣ回路，  ５１３  カラーゲイン制御部，  ５１４  スイッチ，  ５１５  ＲＧＢマトリックス，  ５１６  γ補正回路，  ５１７  Ｄ／Ａ変換部，  ５３１  ＲＧＢドライバ，  ５３２  タイミングジェネレータ，  ６０１  ＥＶＦ用データ，  ６０２  ディスプレイ用データ，  ６０３  両表示用データ
【図１】
2004229005.tif 000003
【図２】
2004229005.tif 000004
【図３】
2004229005.tif 000005
【図４】
2004229005.tif 000006
【図５】
2004229005.tif 000007
【図６】
2004229005.tif 000008
【図７】
2004229005.tif 000009
【図８】
2004229005.tif 000010
【図９】
2004229005.tif 000011
【図１０】
2004229005.tif 000012
【図１１】
2004229005.tif 000013
【図１２】
2004229005.tif 000014
【図１３】
2004229005.tif 000015
【図１４】
2004229005.tif 000016
【図１５】
2004229005.tif 000017
【図１６】
2004229005.tif 000018